(57)【要約】  被検針量メータ１が測定した被検針量のデータを中継機２に通信し、中継機２が複数の被検針量メータ１から伝送されてきた被検針量のデータを検針データ管理装置１０に通信する自動検針システムにおいて、中継機２と検針データ管理装置１０間の通信は通信ネットワーク上で信号のやりとりにおいて応答信号を出す汎用プロトコルで通信し、中継機２と複数の被検針量メータ１間の通信は電力線上で電力線通信独自プロトコルで通信することにより、検針データ管理装置が集合住宅に設置した一つ又は複数の中継機を介して集合住宅内の各戸の検針データを収集する場合、電力メータ等の被検針量メータと中継機間の電力線通信を通じて効率的に収集する。
2010067750.tif 000002
【特許請求の範囲】
【請求項１】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、
前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する
ことを特徴とする電力線通信利用の自動検針方法。
【請求項２】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、
前記検針データ管理装置は、通信ネットワーク上で、信号のやりとりにおいて応答信号を出す汎用プロトコルで、前記中継機に検針開始要求を出し、
前記中継機は、前記検針データ管理装置からの検針開始要求を受けると、電力線上で、電力線通信独自プロトコルで、対応する複数の前記被検針量メータに前記被検針量のデータの送信要求を出し、
前記被検針量メータは、前記中継機から前記被検針量のデータの送信要求を受けると、電力線上で、前記電力線通信独自プロトコルで、測定した前記被検針量のデータを前記中継機に送信し、
前記中継機は、前記被検針量メータから前記被検針量のデータの送信を受けると、前記通信ネットワーク上で、信号のやりとりにおいて応答信号を出す前記汎用プロトコルで、前記検針データ管理装置に送信することを特徴とする電力線通信利用の自動検針方法。
【請求項３】
請求項１または請求項２に記載の電力線通信利用の自動検針方法において、
前記汎用プロトコルは、通信フレームが、ＭＡＣヘッダ、ＩＰヘッダ、及びＴＣＰヘッダを有するＴＣＰ／ＩＰプロトコルであり、
前記電力線通信独自プロトコルは、前記ＭＡＣヘッダ、ＩＰヘッダ、及びＴＣＰヘッダを有さないプロトコルであることを特徴とする電力線通信利用の自動検針方法。
【請求項４】
請求項１〜請求項３の何れか一に記載の電力線通信利用の自動検針方法において、
前記応答信号として、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮを有することを特徴とする電力線通信利用の自動検針方法。
【請求項５】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、
前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信することを特徴とする電力線通信利用の自動検針システム。
【請求項６】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、
前記検針データ管理装置は、通信ネットワーク上で、信号のやりとりにおいて応答信号を出す汎用プロトコルで、前記中継機に検針開始要求を出し、
前記中継機は、前記検針データ管理装置からの検針開始要求を受けると、電力線上で、電力線通信独自プロトコルで、対応する複数の前記被検針量メータに前記被検針量のデータの送信要求を出し、
前記被検針量メータは、前記中継機から前記被検針量のデータの送信要求を受けると、電力線上で、前記電力線通信独自プロトコルで、測定した前記被検針量のデータを前記中継機に送信し、
前記中継機は、前記被検針量メータから前記被検針量のデータの送信を受けると、前記通信ネットワーク上で、前記汎用プロトコルで、前記検針データ管理装置に送信することを特徴とする電力線通信利用の自動検針システム。
【請求項７】
請求項５または請求項６に記載の電力線通信利用の自動検針システムにおいて、
前記被検針量メータは、各定時毎にその時刻の前記被検針量のデータを保持する記憶手段と前記中継機からの要求に従って保持した前記被検針量のデータを電力線通信によって前記中継機に送信する電力線通信装置を備え、
前記中継機は、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする電力線通信利用の自動検針システム。
【請求項８】
請求項５〜請求項７の何れか一に記載の電力線通信利用の自動検針システムにおいて、
前記汎用プロトコルは、通信フレームが、ＭＡＣヘッダ、ＩＰヘッダ、及びＴＣＰヘッダを有するＴＣＰ／ＩＰプロトコルであり、
前記電力線通信独自プロトコルは、前記ＭＡＣヘッダ、ＩＰヘッダ、及びＴＣＰヘッダを有さないプロトコルであることを特徴とする電力線通信利用の自動検針システム。
【請求項９】
請求項５〜請求項８の何れか一に記載の電力線通信利用の自動検針システムにおいて、
前記応答信号は、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮであることを特徴とする電力線通信利用の自動検針システム。
【請求項１０】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する電力線通信利用の自動検針システムに使用される中継機であって、
対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする自動検針用の中継機。
【請求項１１】
集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する電力線通信利用の自動検針システムに使用される中継機であって、
対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする自動検針用の中継機。
【請求項１２】
請求項１０または請求項１１に記載の自動検針用の中継機において、
前記汎用プロトコルは、通信フレームが、ＭＡＣヘッダ、ＩＰヘッダ、及びＴＣＰヘッダを有するＴＣＰ／ＩＰプロトコルであり、
前記電力線通信独自プロトコルは、前記ＭＡＣヘッダ、ＩＰヘッダ、及びＴＣＰヘッダを有さないプロトコルであることを特徴とする自動検針用の中継機。
【請求項１３】
請求項１０〜請求項１２の何れか一に記載の自動検針用の中継機において、
前記応答信号は、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮであることを特徴とする自動検針用の中継機。
【発明の詳細な説明】
【技術分野】
【０００１】
この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法、自動検針システム、及び自動検針用の中継機に関するものである。
【背景技術】
【０００２】
従来、自動検針における例えば電力量の検針は、各戸別に設置された電力メータを検針人が目視等で検針データを読み取っていた。これに対して、電力メータ内に通信装置を組み込んで、電力会社内の検針データ管理装置からの指示に従って検診データを送信する事により検針人を不要とする自動検針システムがある（特開平１１−３５３５７２号公報（特許文献１）参照）。【０００３】
特許文献１に記載の自動検針における処理の概要を図８に示す。この場合、図８に示すように、自動検針時検針時には、通信プロトコルとしてＴＣＰ／ＩＰプロトコルを使いしかも電力メータ毎に、検針データ管理装置１０→中継機２→電力メータ１−電力メータ１→中継機２→検針データ管理装置１０の通信手順を繰り返すので、検針データ管理装置１０が管理する戸数が多くなると、一斉に検針データ収集する場合は通信負荷が増大し、順番に検針データを収集するとデータ収集に時間が掛かるという問題がある。【０００４】
特に、集合住宅の場合においては、集合住宅内にデータ収集装置を設置し、電力メータ内に通信装置を組み込んだ上で、データ収集装置が検針指令を各電力メータに送信すると電力メータ内の通信装置が電力メータの検針データを読み取り、電力メータの識別子と共にデータ収集装置へ送信するという方法がある（例えば、登録実用新案第３０２２９４７号（特許文献２）参照）。又、電力メータに組み込む通信装置として電力線通信を用いる例として特開H11-353572にあるような電力メータと電力会社内の検針データ管理装置の間に中継装置を設置し、中継装置と電力メータの間を電力線通信で行うようにしたものがある。この場合、図９に示すように、述べたように中継装置２が予め一定時間毎に電力メータ１に対して検針データを要求し、電力メータ１は要求に従って、自己の識別子と共に検針データを中継機２に送信し、中継機２は送信された検針データを一時的に蓄積し、検針データ管理装置１０からのデータ要求指示に従って検針データを送信する機能を持っている。【０００５】
なお、電力メータからデータを取得する手段として、従来から電力線通信を用いる方式が提案されている（特許文献１など）が、電力会社から各家までの光ファイバ網の整備が進んできたこともあり、電力線通信の部分に物理速度200Mbpsを超えるような高速PLC装置を適用し、即時性のある検針データの収集や付加価値サービスの提供などが考えられるようになって来た。【０００６】
また、整備された光ファイバ網はインターネットサービス等と兼用される事が多く、検針データの配信に使用する通信プロトコルとしては、TCP/IPをベースとしたものが使用されることが多い。【０００７】
また、電力自由化に伴う売電事業を行う場合、同時同量制度に対応する為に30分単位での電力量の計測が必要となるが、現在の検針では200戸の集合住宅において、全戸の検針データを収集するのに１時間以上かかっている。
【先行技術文献】
【特許文献】
【０００８】
【特許文献１】特開平１１−３５３５７２号公報（図１〜図４及びその説明）
【特許文献２】特許第３０２２９４７号公報（全文）
【発明の概要】
【発明が解決しようとする課題】
【０００９】
上で述べた様な自動検針システムの場合、電力会社に設置した検針データ管理装置が直接電力メータに検針データを要求すると、管理する戸数が増加するに従って、収集時間が増大するという問題がある。【００１０】
又、集合住宅に設置したデータ収集装置が各戸の電力メータに検針データを収集する方式とした場合においても、次のような問題がある。
（１）TCP/IPの様な汎用プロトコルを使用する場合、通信手順やプロトコル上のオーバヘッドが大きく、データ収集に時間が掛かる。その為、短い周期での収集が出来ず詳細な電力使用量の傾向分析等が難しい。
（２）データ収集装置が一度に全電力メータから検針データの収集を行うと、電力線通信のような媒体共有型の通信においては、通信の衝突が起こりやすく、結果的に再送が頻発し、データ収集に時間が掛かる事となる。
（３）中継機が定期的に収集を行い、ある期間の検針データを一時的に蓄積する場合、中継機として高機能なものが必要となる上、中継機が故障した場合には蓄積されたデータが無効となる。【００１１】
この発明は、前述のような実情に鑑みてなされたもので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することを目的とするものである。
【課題を解決するための手段】
【００１２】
この発明に係る電力線通信利用の自動検針方法は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する改善された電力線通信利用の自動検針方法である。【００１３】
この発明に係る電力線通信利用の自動検針方法は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する改善された電力線通信利用の自動検針方法である。【００１４】
この発明に係る電力線通信利用の自動検針システムは、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する改善された電力線通信利用の自動検針システムである。【００１５】
この発明に係る電力線通信利用の自動検針システムは、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する改善された電力線通信利用の自動検針システムである。【００１６】
この発明に係る自動検針用の中継機は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えている改善された自動検針用の中継機である。【００１７】
この発明に係る自動検針用の中継機は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えている改善された自動検針用の中継機である。
【発明の効果】
【００１８】
この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信するので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することができる効果がある。【００１９】
また、この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信するので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することができる効果がある。【００２０】
また、この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信するので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することができる電力線通信利用の自動検針システムを提供できる効果がある。【００２１】
また、この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信するので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することができる電力線通信利用の自動検針システムを提供できる効果がある。【００２２】
また、この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えているので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することを可能とする自動検針用の中継機を提供できる効果がある。【００２３】
また、この発明は、集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えているので、検針データ管理装置が集合住宅に設置した一つ又は複数の中継機を介して集合住宅内の各戸の検針データを収集する場合、電力メータ等の被検針量メータと中継機間の電力線通信を通じて効率的に収集することを可能とする自動検針用の中継機を提供できる効果がある。【００２４】
この発明の上記以外の目的、特徴、観点及び効果、等は、図面を参照する以下のこの発明の詳細な説明から、さらに明らかになる。
【図面の簡単な説明】
【００２５】
【図１】この発明の実施の形態１を示す図で、自動検針システムの接続構成の一例を示す図である。
【図２】この発明の実施の形態１を示す図で、自動検針方式の処理手順の一例を示す図である。
【図３】この発明の実施の形態１を示す図で、中継機と電力メータ間のフレーム構造の一例を示す図である。
【図４】この発明の実施の形態１を示す図で、中継機と電力メータ間で検針データのやり取りを行うパケットの構造の一例を示す図である。
【図５】この発明の実施の形態１を示す図で、電力メータの内部構成の一例を示すブロック図である。
【図６】この発明の実施の形態１を示す図で、図中継機の内部構成の一例を示すブロック図である。
【図７】この発明の実施の形態１を示す図で、電力メータと中継機間のパケット構造の一例を示す図である。
【図８】従来の自動検針方式の基本的な処理手順の一例を示す図である。
【図９】従来の自動検針方式の別の処理手順の一例を示す図である。
【発明を実施するための形態】
【００２６】
実施の形態１．
以下この発明の実施の形態１を図１〜図７により説明する。図１は自動検針システムの接続構成の一例を示す図、図２は自動検針方式の処理手順の一例を示す図、図３は中継機と電力メータ間のフレーム構造の一例を示す図、図４は中継機と電力メータ間で検針データのやり取りを行うパケットの構造の一例を示す図、図５は電力メータの内部構成の一例を示すブロック図、図６は中継機の内部構成の一例を示すブロック図、図７は電力メータと中継機間のパケット構造の一例を示す図である。
【００２７】
本実施の形態１は、本発明を電力量の自動検針の場合を事例として、以下説明する。
【００２８】
（システムの構成）
図１において、本実施の形態にかかる自動検針システムは、検針データ管理装置１０、ルータ／ＳＷ３、中継機２、及び被検針量を測定する被検針量メータである電力メータ１で構成される。ここで検針データ管理装置１０は電力会社内に置かれ、検針データを管理する装置であり、集合住宅に設置された中継機２と広域接続網を利用してルータ／ＳＷ３を経由して接続される。電力メータ１は集合住宅の各戸に設置され、中継機２と電力線通信を使用して接続される。
【００２９】
電力メータ１は、図５に示す様に、電力量計１２に電力線通信装置１１が接続されており、電力線を介して中継機２に接続される。又、電力量計には定時刻の検針データを一定期間保持する為の記憶手段１３を持つ。
【００３０】
中継機は、図６に示す様に、電力メータ１と通信を行う為の電力線通信装置２１とルータ／ＳＷ３を経由して検針データ管理装置１０と通信を行う為のイーサネット（登録商標）通信装置２２を制御部２３で接続している。制御部２３では検針データ管理装置１０からの要求を受け取り、電力メータ１から検針データを取得する。制御部２３は個々の電力メータ１から受け取った検針データを検針データ管理装置１０に一括して配信するまで一時的に保持する為の記憶手段２４を持つ。
【００３１】
つぎに、本実施の形態にかかる自動検針システムの動作について図２を用いて説明する。
【００３２】
検針データ管理装置１０は、中継機２に検針データの収集を指示する為、一定時間毎に検針開始要求を送信する（＃２１）。
【００３３】
中継機２は、自分に電力線通信（ＰＬＣ）を通して接続している複数の電力メータ１に対して、順番に検針データを要求する（＃３１）。
【００３４】
電力メータ１は、自己の保持する最新の検針データを電力線通信を利用して中継機へ送信する（＃３２）。
【００３５】
中継機２は自分に繋がっている全ての電力メータ１の検針データを取得し終わると、検針データ管理装置１０に、全ての電力メータ１の検針データを送信する（＃２２）。
【００３６】
中継機２と電力メータ１とは、電力線通信で接続されている為、マスタ（Ｍａｓｔｅｒ）−スレイブ（Ｓｌａｖｅ）構成をとる。
【００３７】
中継機２は自分に接続されている電力メータ１に対して識別子を付与する。
中継機２と電力メータ１との間の通信は、単位時間毎に送信されるフレームで行われる。
【００３８】
図５を用いて本発明に係る中継機２と電力メータ１の間の電力線通信におけるフレームの構成を説明する。
【００３９】
フレームは複数のパケットからなる。各パケットは中継機２から電力メータ１および電力メータ１から中継機２に対する通信のフレームのものである。パケットにはパケットヘッダが付与されており、電力メータ１に付与された識別子とパケットの種別を表すパケットタイプが格納されている。パケットタイプにはイーサネット（登録商標）データと検針データ通知がある。
【００４０】
電力メータ１から中継機２への検針データ通知のパケット構造を図４に示す。独自プロトコルで通信を行う場合のパケット構造を示す図４（１）に示すように、電力メータの設置された戸を区別する為の電力メータ番号、検針データの要求か応答かを示すリクエストコード、データ長及び検針データと検針を行った時刻が格納されたデータからなる。
【００４１】
なお、図４（２）に示してあるように検針データをＴＣＰ／ＩＰで通信した場合、イーサネット（登録商標）ヘッダ、ＩＰヘッダ、ＴＣＰヘッダが必要になる。
【００４２】
図７に、ＴＣＰ／ＩＰプロトコルでの通信手順（図７（１））と通信独自プロトコルでの通信手順（図７（２））とを比較して示してある。
【００４３】
図７に示すように、中継機２と電力メータ１間をＴＣＰ／ＩＰプロトコルでの通信とした場合のＴＣＰ／ＩＰプロトコルでの通信手順（図７（１））では、信号のやりとりにおける応答信号は、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮの信号処理手順となり時間を要するのに対し、中継機２と電力メータ１間を通信独自プロトコルでの通信とした場合は、通信独自プロトコルでの通信手順（図７（２））は、単に検針データ要求、検針データ送信だけとなり、遥かに時間短縮を図れる。
【００４４】
なお、図１〜図９の各図中、同一符合は同一または相当部分を示す。
【００４５】
前述の実施の形態１は前述の通り、集合住宅において全戸の電力量を管理する検針データ管理装置と、各戸に設置された電力メータと、複数の電力メータと検針データ管理装置を接続する中継機とを備え、前記電力メータは各定時毎にその時刻の電力量を保持する手段と前記中継機からの要求に従って保持した電力量を電力線通信によって中継機に伝達す
る手段を備え、前記中継機は自分の収容する電力メータに対して、順番に電力量を取得する手段と、前記電力メータから伝達された電力量を一括して前記検針データ管理装置に送信する手段を備えたものであり、上位概念で要約すれば、以下のような特徴がある。
【００４６】
特徴点１：集合住宅において各戸に設置された電力メータからの電力量を電力線通信を用いて定期的に収集する自動検針である。
【００４７】
特徴点２：検針データ管理装置が集合住宅に設置した一つ又は複数の中継機を介して集合住宅内の各戸の検針データを収集する場合、電力メータ等の被検針量メータと中継機間の電力線通信を通じて効率的に収集する方式を提供すると共に、中継機は必要最小限の機能を持たせる事により、コストや安全性に優れた自動検針システムを提供するものである。
【００４８】
特徴点３：検針データ管理装置と、前記検針データ管理装置と光ファイバ網で接続された一つ又は複数の中継機と、中継機と電力線通信網で接続された複数の通信装置を内蔵した電力メータから構成され、
検針データ装置は一定時間毎に中継機に対して検針データ収集の指示を行い、中継機は自分の配下に接続された電力メータに対して、一台ないしは二台毎に電力線通信を利用して、検針データの要求を行う。電力メータは定時間毎にその時刻の検針データ（電力量）を保持し、中継機から検針データの要求があった場合。保持している最新の検針データを中継機に対して電力線通信を介して送信するものである。
【００４９】
特徴点４：電力会社と集合住宅を広域接続網で接続し、電力会社内に検針データ管理装置を設置し、集合住宅内に広域接続網で電力会社と接続した中継機を設置し、集合住宅の各戸に電力メータを設置し、電力線通信で電力メータと中継機を接続した自動検針システムにおいて、「管理装置から直接電力メータから収集を行なうことなく、大規模集合住宅内に設置した中継機で、検針データ管理装置からの指示に従って電力メータからの検針データを電力線通信を使用して収集することにより収集の効率化を図る。」、「中継機と電力メータの通信をTCP/IPの様な汎用プロトコルではなく、独自の低レベルプロトコルを使用することにより通信手順の簡素化およびオーバヘッドの軽減を図り、通信時間の短縮を図る。」、「中継機が自分に接続された電力メータから1台又は2台づつ順番に検針データを取得することで電力線の様な媒体共有型の通信方式において、効率的に検針データの収集を図る。」ことができるものである。
【００５０】
特徴点５：  集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信することを特徴とする電力線通信利用の自動検針方法である。
【００５１】
特徴点６：  集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針方法において、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信することを特徴とする電力線通信利用の自動検針方法である。
【００５２】
特徴点７：特徴点５または６に記載の電力線通信利用の自動検針方法において、前記汎用プロトコルは、通信フレームが、ＭＡＣヘッダ、ＩＰヘッダ、及びＴＣＰヘッダを有するＴＣＰ／ＩＰプロトコルであり、前記電力線通信独自プロトコルは、前記ＭＡＣヘッダ、ＩＰヘッダ、及びＴＣＰヘッダを有さないプロトコルであることを特徴とする電力線通信利用の自動検針方法である。
【００５３】
特徴点８：特徴点５〜７の何れか一に記載の電力線通信利用の自動検針方法において、前記信号のやりとりにおける応答信号として、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮを有することを特徴とする電力線通信利用の自動検針方法である。
【００５４】
特徴点９：集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信することを特徴とする電力線通信利用の自動検針システムである。
【００５５】
特徴点１０：集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信することを特徴とする電力線通信利用の自動検針システムである。
【００５６】
特徴点１１：特徴点９または１０に記載の電力線通信利用の自動検針システムにおいて、
前記被検針量メータは、各定時毎にその時刻の前記被検針量のデータを保持する記憶手段と前記中継機からの要求に従って保持した前記被検針量のデータを電力線通信によって前記中継機に送信する電力線通信装置を備え、前記中継機は、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする電力線通信利用の自動検針システムである。
【００５７】
特徴点１２：特徴点９〜１１の何れか一に記載の電力線通信利用の自動検針システムにおいて、前記信号のやりとりにおいて応答信号を出す汎用プロトコルは、通信フレームが、ＭＡＣヘッダ、ＩＰヘッダ、及びＴＣＰヘッダを有するＴＣＰ／ＩＰプロトコルであり、前記電力線通信独自プロトコルは、前記ＭＡＣヘッダ、ＩＰヘッダ、及びＴＣＰヘッダを有さないプロトコルであることを特徴とする電力線通信利用の自動検針システムである。
【００５８】
特徴点１３：特徴点９〜１２の何れか一に記載の電力線通信利用の自動検針システムにおいて、前記信号のやりとりにおける応答信号として、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮを有していることを特徴とする電力線通信利用の自動検針システムである。
【００５９】
特徴点１４：集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記中継機と前記検針データ管理装置間の通信は通信ネットワーク上で信号のやりとりにおいて応答信号を出す汎用プロトコルで通信し、前記中継機と複数の前記被検針量メータ間の通信は電力線上で電力線通信独自プロトコルで通信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする自動検針用の中継機である。
【００６０】
特徴点１５：集合住宅において全戸の被検針量を管理する検針データ管理装置と、前記集合住宅の各戸に設置され各戸で使用した被検針量を測定する被検針量メータと、複数の前記被検針量メータと前記検針データ管理装置とを接続する中継機とを備え、前記被検針量メータが測定した前記被検針量のデータを前記中継機に通信し、前記中継機が複数の前記被検針量メータから伝送されてきた前記被検針量のデータを前記検針データ管理装置に通信する自動検針システムにおいて、前記検針データ管理装置は、通信ネットワーク上で、信号のやりとりにおいて応答信号を出す汎用プロトコルで、前記中継機に検針開始要求を出し、前記中継機は、前記検針データ管理装置からの検針開始要求を受けると、電力線上で、電力線通信独自プロトコルで、対応する複数の前記被検針量メータに前記被検針量のデータの送信要求を出し、前記被検針量メータは、前記中継機から前記被検針量のデータの送信要求を受けると、電力線上で、前記電力線通信独自プロトコルで、測定した前記被検針量のデータを前記中継機に送信し、前記中継機は、前記被検針量メータから前記被検針量のデータの送信を受けると、前記通信ネットワーク上で、前記汎用プロトコルで、前記検針データ管理装置に送信する電力線通信利用の自動検針システムに使用される中継機であって、対応する複数の前記被検針量メータから、順番に前記被検針量のデータを受信する電力線通信装置と、前記複数の前記被検針量メータから受信した前記被検針量のデータを一括して前記検針データ管理装置に送信する汎用プロトコル通信装置を備えていることを特徴とする自動検針用の中継機である。
【００６１】
特徴点１６：特徴点１４または１５に記載の自動検針用の中継機において、前記信号のやりとりにおいて応答信号を出す汎用プロトコルとして、通信フレームが、ＭＡＣヘッダ、ＩＰヘッダ、及びＴＣＰヘッダを有するＴＣＰ／ＩＰプロトコルであり、前記電力線通信独自プロトコルは、前記ＭＡＣヘッダ、ＩＰヘッダ、及びＴＣＰヘッダを有さないプロトコルであることを特徴とする自動検針用の中継機である。
【００６２】
特徴点１７：特徴点１４〜１６の何れか一に記載の自動検針用の中継機において、前記応答信号は、接続要求ＳＹＮに対する応答ＳＹＮ／ＡＣＫ、前記応答ＳＹＮ／ＡＣＫに対する応答ＡＣＫ、検針データ要求に対する応答ＡＣＫ、検針データ送信に対するＡＣＫ、セッション終了通知に対する応答ＦＩＮを有することを特徴とする自動検針用の中継機である。
【産業上の利用可能性】
【００６３】
この発明は、使用電力量の自動検針以外に、使用ガス量、使用水道水量などの自動検針などの用途にも適用できる。
【図１】
2010067750.tif 000003
【図２】
2010067750.tif 000004
【図３】
2010067750.tif 000005
【図４】
2010067750.tif 000006
【図５】
2010067750.tif 000007
【図６】
2010067750.tif 000008
【図７】
2010067750.tif 000009
【図８】
2010067750.tif 000010
【図９】
2010067750.tif 000011
【国際調査報告】
2010067750.tif 000012
2010067750.tif 000013
2010067750.tif 000014
2010067750.tif 000015